(57)【要約】【課題】ユーザ・網インタフェースとして従来のＩＳＤＮプロトコルを適用しながら、通信事業者網でＩＰによる装置間通信を可能とする。【解決手段】ＩＳＤＮパケットをＩＰパケットに変換して通信するパケット通信システムは、少なくとも１つのＩＳＤＮ加入者線(1-n)を通じて受信したＢチャネル又はＤチャネルデータを、それらデータに含まれる情報とともに各々ＩＰパケット化してＩＰ網へ出力し、ＩＰ網から受信したＩＰパケットからＢチャネル及びＤチャネルデータを抽出して、Ｂチャネル及びＤチャネルデータに含まれる情報に基づいてＩＳＤＮ加入者線に送信する少なくとも１つのＩＰ変換装置(200)と、Ｂチャネル又はＤチャネルデータの各々を含むＩＰパケットをＩＰ網で転送する少なくとも１つのパケット転送装置(300)を備える。【選択図】図１
2010199794.tif 000002
【特許請求の範囲】
【請求項１】
ＩＳＤＮパケットをＩＰパケットに変換して通信するパケット通信システムであって、
少なくとも１つのＩＳＤＮ加入者線と接続し、当該ＩＳＤＮ加入者線を通じて受信したＢチャネルデータ又はＤチャネルデータを、当該Ｂチャネルデータ又はＤチャネルデータの各々に含まれる情報を保持してＩＰパケット化してＩＰ網へ出力し、又は、前記ＩＰ網から受信したＩＰパケットからＢチャネルデータ又はＤチャネルデータを抽出して、前記Ｂチャネルデータ又はＤチャネルデータの各々に含まれる情報に基づいて前記ＩＳＤＮ加入者線に送信する少なくとも１つのＩＰ変換装置と、
前記Ｂチャネルデータ又はＤチャネルデータの各々を含むＩＰパケットを前記ＩＰ網で転送する少なくとも１つのパケット転送装置と、
を備えることを特徴とするパケット通信システム。
【請求項２】
前記ＩＰ変換装置と前記パケット転送装置とが、それぞれ異なる通信事業者網及び／又はそれぞれユーザ網と通信事業者網とに設置される、
ことを特徴とする、請求項１に記載のパケット通信システム。
【請求項３】
請求項１に記載のパケット通信システムにおけるＩＰ変換装置であって、
少なくとも１つのＩＳＤＮ加入者線と接続し、当該ＩＳＤＮ加入者線を通じて受信したＢチャネルデータ又はＤチャネルデータを、当該Ｂチャネルデータ又はＤチャネルデータの各々に含まれる情報を保持してＩＰパケット化してＩＰ網へ出力し、又は、前記ＩＰ網から受信したＩＰパケットからＢチャネルデータ又はＤチャネルデータを抽出して、前記Ｂチャネルデータ又はＤチャネルデータの各々に含まれる情報に基づいて前記ＩＳＤＮ加入者線に送信する、
ことを特徴とするＩＰ変換装置。
【請求項４】
請求項３に記載のＩＰ変換装置において、
前記少なくとも１つのＩＳＤＮ加入者線に接続されたフロント処理部と、
前記フロント処理部との間で前記Ｂチャネルデータの送受信を行い、ＬＡＰＢを終端するベアラスイッチ部と、
前記フロント処理部との間で前記Ｄチャネルデータの送受信を行い、前記Ｄチャネルデータに含まれる情報に応じて呼制御を行い、ＬＡＰＤを終端する呼制御部と、
前記ＩＰ網に接続され、前記フロント処理部、前記ベアラスイッチ部及び前記呼制御部と前記パケット転送装置との間の、それぞれ、前記Ｄチャネルデータ、Ｂチャネルデータ及びリソース情報の送受信を介するＩＰインタフェース部と、
を備えることを特徴とするＩＰ変換装置。
【請求項５】
請求項４に記載のＩＰ変換装置において、
前記ＩＳＤＮ加入者線を通じて受信したＤチャネルデータをＩＰパケット化して前記ＩＰ網へ出力する際に、
前記フロント処理部は、
前記Ｄチャネルデータに含まれるＳＡＰＩを識別し、ＳＡＰＩ＝０のＤチャネルデータを前記呼制御部に送信し、
前記呼制御部は、
前記フロント処理部から送信されたＤチャネルデータのＱ．９３１信号を識別し、当該Ｑ．９３１信号がパケット交換を示すものである場合に当該信号を受理する、
ことを特徴とするＩＰ変換装置。
【請求項６】
請求項４に記載のＩＰ変換装置において、
前記ベアラスイッチ部は、
予め記録した、パケット通信に使用するＢチャネル番号と前記ＩＳＤＮ加入者線に関連する情報との対に基づいて、前記フロント処理部から受信するＢチャネルデータのうち受理するデータを選択する、
ことを特徴とするＩＰ変換装置。
【請求項７】
請求項１に記載のパケット通信システムにおけるパケット転送装置であって、
前記Ｂチャネルデータ又はＤチャネルデータの各々を含むＩＰパケットを前記ＩＰ網で転送する、
ことを特徴とするパケット転送装置。
【請求項８】
請求項７に記載のパケット転送装置において、
前記ＩＰ網に接続された第１のＩＰインタフェース部及び第２のＩＰインタフェース部と、
ＬＡＰＢ及び／又はＬＡＰＤを終端し、前記第１のＩＰインタフェース部を通じて前記ＩＰ変換装置との間でＢチャネルデータ又はＤチャネルデータを含むＩＰパケットの送受信を行うとともに、前記Ｂチャネルデータ又はＤチャネルデータを含むＩＰパケットから抽出したＸ．２５レイヤ３信号を、前記第２のＩＰインタフェース部を通じてパケット転送装置との間で送受信するパケット制御部と、
前記ＩＰ変換装置との間で前記第１のＩＰインタフェース部を通じてリソース情報を送受信する発着信制御部と、
を備えることを特徴とするパケット転送装置。
【請求項９】
請求項３に記載のＩＰ変換装置と請求項７に記載のパケット転送装置とを一体化して構成したパケット通信装置。
【請求項１０】
請求項９に記載のパケット通信装置において、
通信事業者網又はユーザ網に設置される、
ことを特徴とするパケット通信装置。
【発明の詳細な説明】
【技術分野】
【０００１】
本発明は、通信システム及び通信装置に関し、特に、サービス統合ディジタル網（ＩＳＤＮ：Integrated Services Digital Network）パケット通信サービスの通信データをＩＰ化する装置と、同通信データをＩＰで中継する装置とから構成され、通信事業者網内の装置間通信をＩＰで行うことで、ＩＳＤＮパケット通信サービスをＩＰ網上で実現するパケット通信システム及びパケット通信装置に関する。具体的には、ＩＳＤＮユーザ・網インタフェースのレイヤ１〜３を終端し、Ｘ．２５レイヤ３の信号をＩＰパケット化し、ＩＰ網上でルーチングする技法に関する。
【背景技術】
【０００２】
近年、通信事業者網ではＩＰネットワークの採用・拡大、ＩＰをベースとしたサービスへの移行が進んでいる。一方、これまでのＩＳＤＮパケット通信サービスは、通信システムを非ＩＰ技術により構築するのが一般的であった。この結果、通信事業者網にＩＰ技術と非ＩＰ技術の通信システムが混在し、両者でシステムを共用化できないため、設備・運用コストが二重に発生するという問題が生じている。そこで、ＩＳＤＮパケット通信システムをＩＰ技術で再構築することが考えられるが、ユーザが導入済みの非ＩＰ技術による設備を早急に置き換えることは困難であるため、ユーザの設備はそのままに、通信事業者の設備をＩＰ技術で構築する方式が必要である。
【０００３】
なお、ＩＳＤＮにおけるパケット通信を実現する上で、ユーザ・網インタフェース上にパケット交換用の通信路を設定し、パケット通信プロトコルＸ．２５の手順によりユーザ情報の転送を行う方式が知られている。この方式におけるパケット端末のサポート方法・インタフェース仕様はＩＴＵ−Ｔ勧告Ｘ．３１で規定されており、その中でも、特にＩＳＤＮ内にパケット交換機能を配備する形態をケースＢと呼ぶ。このケースＢの形態では、実際に商用サービスが提供されている（例えば、非特許文献１を参照）。
【０００４】
Ｘ．３１ケースＢは、通信事業者の設備として、交換機、パケット処理装置及びパケット交換機能を規定している。前述のコスト削減には、これら全てをＩＰ技術により構築するのが最も望ましいが、Ｘ．３１を始めとする関連の規定では、交換機及びパケット処理装置インタフェースにおけるＩＰの適用方式が考慮されていないという問題がある。
【０００５】
また、日本国内では、交換機とパケット処理装置を異なる通信事業者に設置することが行われている。こうした利用形態の観点から、交換機とパケット処理装置とを一体の装置として実現することを前提とするのは困難である。
【先行技術文献】
【非特許文献】
【０００６】
【非特許文献１】ＴＴＣ標準  ＪＴ−Ｘ３１“ＩＳＤＮによるパケットモード端末のサポートとインタフェース仕様”
【発明の概要】
【発明が解決しようとする課題】
【０００７】
従って、本発明の目的は、上述の諸課題を解決し、ユーザ・網インタフェースとしてＩＳＤＮの基本インタフェース又は一次群速度インタフェースと、その上位プロトコル群とを従来どおり適用しながら、通信事業者網でＩＰによる装置間通信を可能とする装置及びシステムを提供することにある。
【課題を解決するための手段】
【０００８】
上述した課題を解決すべく、本発明による、ＩＳＤＮパケットをＩＰパケットに変換して通信するパケット通信システムは、
少なくとも１つのＩＳＤＮ加入者線と接続し、当該ＩＳＤＮ加入者線を通じて受信したＢチャネルデータ又はＤチャネルデータを、当該Ｂチャネルデータ又はＤチャネルデータの各々に含まれる情報を保持してＩＰパケット化してＩＰ網へ出力し、又は、前記ＩＰ網から受信したＩＰパケットからＢチャネルデータ又はＤチャネルデータを抽出して、前記Ｂチャネルデータ又はＤチャネルデータの各々に含まれる情報に基づいて前記ＩＳＤＮ加入者線に送信する少なくとも１つのＩＰ変換装置と、
前記Ｂチャネルデータ又はＤチャネルデータの各々を含むＩＰパケットを前記ＩＰ網で転送する少なくとも１つのパケット転送装置と、
を備えることを特徴とする。
【０００９】
また、本発明の一実施態様によるパケット通信システムは、
前記ＩＰ変換装置と前記パケット転送装置とが、それぞれ異なる通信事業者網及び／又はそれぞれユーザ網と通信事業者網とに設置される、
ことを特徴とする。
【００１０】
また、本発明の一実施態様による、パケット通信システムにおけるＩＰ変換装置は、
少なくとも１つのＩＳＤＮ加入者線と接続し、当該ＩＳＤＮ加入者線を通じて受信したＢチャネルデータ又はＤチャネルデータを、当該Ｂチャネルデータ又はＤチャネルデータの各々に含まれる情報を保持してＩＰパケット化してＩＰ網へ出力し、又は、前記ＩＰ網から受信したＩＰパケットからＢチャネルデータ又はＤチャネルデータを抽出して、前記Ｂチャネルデータ又はＤチャネルデータの各々に含まれる情報に基づいて前記ＩＳＤＮ加入者線に送信する、
ことを特徴とする。
【００１１】
さらに、本発明の別の実施態様によるＩＰ変換装置は、
前記少なくとも１つのＩＳＤＮ加入者線に接続されたフロント処理部と、
前記フロント処理部との間で前記Ｂチャネルデータの送受信を行い、ＬＡＰＢを終端するベアラスイッチ部と、
前記フロント処理部との間で前記Ｄチャネルデータの送受信を行い、前記Ｄチャネルデータに含まれる情報に応じて呼制御を行い、ＬＡＰＤを終端する呼制御部と、
前記ＩＰ網に接続され、前記フロント処理部、前記ベアラスイッチ部及び前記呼制御部と前記パケット転送装置との間の、それぞれ、前記Ｄチャネルデータ、Ｂチャネルデータ及びリソース情報の送受信を介するＩＰインタフェース部と、
を備えることを特徴とする。
【００１２】
さらに、本発明の別の実施態様によるＩＰ変換装置は、
前記ＩＳＤＮ加入者線を通じて受信したＤチャネルデータをＩＰパケット化して前記ＩＰ網へ出力する際に、
前記フロント処理部は、
前記Ｄチャネルデータに含まれるＳＡＰＩを識別し、ＳＡＰＩ＝０のＤチャネルデータを前記呼制御部に送信し、
前記呼制御部は、
前記フロント処理部から送信されたＤチャネルデータのＱ．９３１信号を識別し、当該Ｑ．９３１信号がパケット交換を示すものである場合に当該信号を受理する、
ことを特徴とする。
【００１３】
さらに、本発明の別の実施態様によるＩＰ変換装置は、
前記ベアラスイッチ部は、
予め記録した、パケット通信に使用するＢチャネル番号と前記ＩＳＤＮ加入者線に関連する情報との対に基づいて、前記フロント処理部から受信するＢチャネルデータのうち受理するデータを選択する、
ことを特徴とする。
【００１４】
本発明の一実施態様による、パケット通信システムにおけるパケット転送装置は、
前記Ｂチャネルデータ又はＤチャネルデータの各々を含むＩＰパケットを前記ＩＰ網で転送する、
ことを特徴とする。
【００１５】
さらに、本発明の別の実施態様によるパケット転送装置は、
前記ＩＰ網に接続された第１のＩＰインタフェース部及び第２のＩＰインタフェース部と、
ＬＡＰＢ及び／又はＬＡＰＤを終端し、前記第１のＩＰインタフェース部を通じて前記ＩＰ変換装置との間でＢチャネルデータ又はＤチャネルデータを含むＩＰパケットの送受信を行うとともに、前記Ｂチャネルデータ又はＤチャネルデータを含むＩＰパケットから抽出したＸ．２５レイヤ３信号を、前記第２のＩＰインタフェース部を通じてパケット転送装置との間で送受信するパケット制御部と、
前記ＩＰ変換装置との間で前記第１のＩＰインタフェース部を通じてリソース情報を送受信する発着信制御部と、
を備えることを特徴とする。
【００１６】
さらに、本発明の別の実施態様によるＩＰ変換装置は、
前記発着信制御部は、加入者情報としてユーザのリソース状況を管理し、前記ＩＰ変換装置から受信するリソース情報に基づきリソースの確保・解放を処理する、
ことを特徴とする。
【００１７】
また、上述の実施態様ではＩＰ変換装置とパケット転送装置とを別個の装置として実現したが、本発明はこれに限らず、ＩＰ変換装置とパケット転送装置とを一体化したパケット通信装置として構成することができる。
例えば、本発明の一実施態様によるパケット通信装置は、
前記ＩＰ変換装置と前記パケット転送装置とを一体化して構成したことを特徴とする。
【００１８】
さらに、本発明の別の実施態様によるパケット通信装置は、
当該パケット通信装置が、通信事業者網又はユーザ網に設置されることを特徴とする。
【発明の効果】
【００１９】
本発明によれば、ユーザ・網インタフェースとしてＩＳＤＮの基本インタフェース又は一次群速度インタフェースと、その上位プロトコル群とを従来どおり適用しながら、通信事業者網でＩＰによる装置間通信を実現することが可能となる。
【図面の簡単な説明】
【００２０】
【図１】本発明の一実施例によるパケット通信システムの全体構成を示す図である。
【図２】ＩＰ変換装置２００の概略ブロック図である。
【図３】パケット転送装置３００の概略ブロック図である。
【図４】本発明の一実施例によるテーブルの一例である。
【発明を実施するための形態】
【００２１】
図１に、本発明の一実施例によるパケット通信システムの全体構成を示す。図１に示すように、パケット通信システム１００は、複数のＩＰ変換装置２００−１〜２００−４、パケット転送装置３００−１〜３００−４，及び複数のＴＥ（Terminal Equipment：ユーザ端末）と加入者線とを含む。ＩＰ変換装置２００は、交換機に相当し、パケット処理装置に相当するパケット転送装置３００とユーザとの間でパケット通信を中継する（詳細は後述する）。ＩＰ変換装置２００は、ユーザ側において、ＩＳＤＮ基本・一次群速度インタフェースの加入者線１〜ｎを物理的に収容する。個々の加入者線は、従来のユーザ・網インタフェースと同様に１つまたは複数のＴＥの接続に対応する。また、ＩＰ変換装置２００は、通信事業者網側において、ＩＰインタフェースを通じてパケット転送装置３００と接続する。パケット転送装置３００は、ＩＰ変換装置２００及び他のパケット転送装置３００からパケット通信を受信し、その通信先に応じて他のパケット転送装置３００及びＩＰ変換装置２００へとパケット通信を中継する。パケット転送装置３００は、ＩＰ変換装置２００及び他のパケット転送装置３００とは、いずれもＩＰインタフェースで接続する。
【００２２】
図１に破線で示すように、例えば加入者線２に接続されるＴＥが送信するパケット通信データは、加入者線２を通じてＩＰ変換装置２００−１に到達する。次いで、ＩＰ変換装置２００−１からパケット転送装置３００−２に転送され、パケット転送装置３００−３間で転送される。その後、パケット転送装置３００−３からＩＰ変換装置２００−４に転送され、ＩＰ変換装置２００−４から通信先のＴＥに加入者線を通じて送信される。なお、図１では簡単のため、ＩＰ変換装置２００が単一のパケット転送装置３００と接続された場合を示しているが、実際には複数のパケット転送装置３００と接続されていてもよい。また、パケット転送装置３００は、１つまたは複数のＩＰ変換装置２００と接続されていてもよい。
【００２３】
次に、ＩＰ変換装置及びパケット転送装置について説明する。図２，３は、それぞれ、ＩＰ変換装置２００及びパケット転送装置３００の概略ブロック図である。図２に示すように、ＩＰ変換装置２００は、フロント処理部２１０、ベアラスイッチ部２２０、呼制御部２３０及びＩＰインタフェースＡ  ２４０を備える。また、図３に示すように、パケット転送装置３００は、ＩＰインタフェースＢ  ３１０、パケット制御部３２０、発着信制御部３３０及びＩＰインタフェースＣ  ３４０を備える。
【００２４】
これ以降では、ユーザから網に送信する場合及び網からユーザに送信する場合の、ＩＰ変換装置２００及びパケット転送装置３００の動作について説明する。
【００２５】
まず、ユーザから網方向の送信時における、ＩＰ変換装置２００の動作について説明する。フロント処理部２１０は、ＴＥとの間の基本・一次群速度インタフェースのレイヤ１を終端し、情報を受信した加入者線番号（１〜ｎ）と、チャネル（Ｂチャネル番号又はＤチャネル）とを識別する。続いて、図示しない記憶部に予め保持する、図４（ａ）に示すテーブルＴＢ１のような加入者線番号と契約者回線番号の対応に基づき、加入者線番号から契約者回線番号を識別する。フロント処理部２１０は、ＴＥから受信したＢチャネルのデータを、契約者回線番号と加入者線チャネル（Ｂチャネル番号）とともに、ベアラスイッチ部２２０に送信する。また、フロント処理部２１０は、ＴＥから受信するＤチャネルのデータに対してＬＡＰＤコア処理（フレーム抽出・誤り検出）を行い、抽出したＬＡＰＤフレームについて、アドレス部のＳＡＰＩ（Service Access Point Identifier；サービスアクセスポイント識別子）及びＴＥＩ（Terminal Endpoint Identifier；端末終端点識別子）を識別する。なお、ＳＡＰＩはサービスの種別を、ＴＥＩは各ＴＥを識別するものである。
【００２６】
ここで、ＳＡＰＩ＝１６のＬＡＰＤフレームは、契約者回線番号、加入者線チャネル（ＬＡＰＤフレームのアドレス部から識別したＳＡＰＩ及びＴＥＩ）とともに、ＩＰインタフェースＡ  ２４０を通じてパケット転送装置３００のパケット制御部３２０に送信される。また、ＳＡＰＩ＝０のＬＡＰＤフレームは、契約者回線番号、加入者線チャネル（アドレス部から識別したＳＡＰＩ及びＴＥＩ）とともに、呼制御部２３０に送信される。
【００２７】
次に、呼制御部２３０の動作について説明する。呼制御部２３０は、フロント処理部２１０からＳＡＰＩ＝０のＬＡＰＤフレームを受信し、ＬＡＰＤプロトコル（レイヤ２）の終端を行う。このとき特に、呼制御部２３０は、ＬＡＰＤフレームのＩフレームからＱ．９３１信号を抽出し、メッセージの種別を識別する。呼制御部２３０は、抽出したＱ．９３１信号がＳＥＴＵＰ信号でない場合は、共有部の呼番号を識別し、受理済みのＳＥＴＵＰ信号の呼番号と一致する場合は、その呼処理を継続するための当該信号を受理する。また、呼制御部２３０は、抽出したＱ．９３１信号がＳＥＴＵＰ信号の場合は、個別部の伝達能力を識別し、パケットモードである場合は、当該信号を受理し、呼確立を開始する。上記の処理によれば、個別部の伝達能力がパケットモードでないＳＥＴＵＰ信号及びその後続のＳＥＴＵＰ以外の信号は受理しない。これにより、回線交換とパケット交換の呼制御信号が区別され、独立に処理される。
【００２８】
呼制御部２３０は、Ｑ．９３１信号による呼確立にあたって、リソース確保の通知を、契約者回線番号及びリソース情報（呼で使用するＢチャネル番号）とともに、ＩＰインタフェースＡ  ２４０を通じてパケット転送装置３００の発着信制御部３３０に送信する。続いて、呼制御部２３０は、後述するパケット転送装置３００の発着信制御部３３０から受理の通知を受信した場合は、スイッチ設定の通知を、契約者回線番号、呼で使用するＢチャネル番号とともに、ベアラスイッチ部２２０に通知する。また、呼制御部２３０は、Ｑ．９３１信号による呼解放にあたって、スイッチ解放の通知を、契約者回線番号、呼で使用中のＢチャネル番号とともに、ベアラスイッチ部２２０に通知する。また、呼制御部２３０は、リソース解放の通知を、契約者回線番号、リソース情報（呼で使用中のＢチャネル番号）とともに、ＩＰインタフェースＡ  ２４０を通じてパケット転送装置３００の発着信制御部３３０に送信する。
【００２９】
次に、ベアラスイッチ部２２０の動作について説明する。ベアラスイッチ部２２０は、呼制御部２３０からスイッチ設定の通知を受信すると、同時に受信する契約者回線番号とＢチャネル番号とを対としてテーブルに記録する。図４（ｂ）に、ベアラスイッチ部に記録されるテーブルＴＢ２の一例を示す。また、ベアラスイッチ部２２０は、呼制御部２３０からスイッチ解放の通知を受信すると、同時に受信する契約者回線番号とＢチャネル番号とを対として、記録から削除する。また、ベアラスイッチ部２２０は、フロント処理部２１０からデータを受信すると、同時に受信する契約者回線番号と加入者線チャネル（Ｂチャネル番号）の対が、ベアラスイッチ部２２０に既に記録されているか否かを判定し、記録されている場合にそのデータを受理する。
【００３０】
なお、呼制御部２３０からスイッチ設定の通知を受信するのは、呼制御部２３０でＱ．９３１信号による呼確立を行う場合である。前述のとおり、呼制御部２３０ではパケット交換の呼制御信号を独立に処理するので、スイッチ設定の通知で受信する契約者回線番号とＢチャネル番号との対は、パケット通信で使用するＢチャネルを必ず識別することになる。従って、上記の処理によれば、フロント処理部２１０から受信するデータのうち、パケット通信以外で使用するデータは受理されない。これにより、回線交換とパケット交換のＢチャネルのデータを区別し、独立に処理する。
【００３１】
また、ある契約者回線番号で、パケット通信に使用するＢチャネル番号を事前に決め、当該契約者回線番号と当該Ｂチャネル番号を対として、ベアラスイッチ部２２０に予め記録してもよい。この場合、当該契約者回線番号と当該Ｂチャネルの対に関して、Ｑ．９３１信号による呼確立・呼解放を省略でき、ＩＰ変換装置２００のベアラスイッチ部２２０は、フロント処理部２１０から受信するデータを、同時に受信する契約者回線番号と加入者線チャネル（Ｂチャネル番号）の対がベアラスイッチ部２２０に既に記録されているので、パケット通信で使用するデータとして受理する。また、ベアラスイッチ部２２０は、フロント処理部２１０から受理したＢチャネルのデータに対して、ＬＡＰＢコア処理（フレーム抽出・誤り検出）を行い、抽出したＬＡＰＢフレームを、契約者回線番号、加入者線チャネル（Ｂチャネル番号）とともに、ＩＰインタフェースＡ  ２４０を通じてパケット転送装置３００のパケット制御部３２０に送信する。
【００３２】
次に、図３を参照して、ユーザから網方向の送信時における、パケット転送装置３００の動作を説明する。まず、パケット制御部３２０について説明する。パケット制御部３２０は、ＩＰ変換装置２００から受信するＬＡＰＢ／Ｄフレームに対して、同時に受信する加入者線チャネルに基づいてＬＡＰＢかＬＡＰＤかの識別を行う。そして、パケット制御部３２０は、受信したフレームがＬＡＰＢ又はＬＡＰＤフレームかに応じて、それぞれＬＡＰＢ又はＬＡＰＤのプロトコル終端を行う。パケット制御部３２０は、ＬＡＰＤのＳＡＢＭＥフレームによるリンク設定にあたっては、リソース確保の通知を、契約者回線番号、リソース情報（加入者線チャネルのＳＡＰＩ及びＴＥＩ）とともに、発着信制御部３３０に送信する。パケット制御部３２０は、後述するように発着信制御部３３０から受理の結果を受信した場合は、リンク設定を継続する。また、ＬＡＰＤのＤＩＳＣフレームによるリンク切断にあたっては、パケット制御部３２０は、リソース解放の通知を、契約者回線番号、リソース情報（加入者線チャネルのＳＡＰＩ・ＴＥＩ）とともに、発着信制御部３３０に送信する。また、パケット制御部３２０は、受信したＬＡＰＢ／ＤのＩフレームから、Ｘ．２５レイヤ３信号を抽出し、抽出したＸ．２５レイヤ３信号を、ＩＰインタフェースＣ  ３４０を通じていずれかのパケット転送装置３００のパケット制御部３２０に送信する。
【００３３】
次に、発着信制御部３３０の動作について説明する。発着信制御部３３０は、ユーザの加入者情報として、各契約者回線番号でパケット通信に使用可能なリソースを予めテーブルとして保持しておく。図４（ｃ）に、使用可能なリソースのテーブルＴＢ３の一例を示す。パケット通信に使用可能なリソースとは、例えば、Ｂチャネルに関して同時に通信可能なチャネル数、通信可能なチャネル番号、Ｄチャネルに関して同時に通信可能なＴＥＩ数、通信可能なＴＥＩ等である。
【００３４】
発着信制御部３３０は、ＩＰ変換装置２００の呼制御部２３０又はパケット転送装置３００のパケット制御部３２０からリソース確保の通知を受信すると、まず、同時に受信する契約者回線番号から、対象ユーザのリソースをテーブルＴＢ４に基づいて識別する。次に、発着信制御部３３０は、同時に受信するリソース情報（呼で使用するＢチャネル番号又は加入者線チャネルのＳＡＰＩ及びＴＥＩ）が、当該リソースと照らし合わせて確保可能であるか判定する。確保可能な場合、発着信制御部３３０は、リソース情報に含まれるリソースを使用するものとして、対象ユーザのリソースに反映する。そして、発着信制御部３３０は、受理の通知を、契約者回線番号、リソース情報とともに、リソース確保の通知の送信元がＩＰ変換装置２００の呼制御部２３０の場合はＩＰインタフェースＢ  ２４０を通じてＩＰ変換装置２００の呼制御部２３０に送信する。また、発着信制御部３３０は、リソース確保の通知の送信元がパケット制御部３２０の場合は、受理の通知を、契約者回線番号及びリソース情報とともにパケット制御部３２０に送信する。
【００３５】
なお、発着信制御部３３０は、リソースが確保不可能な場合、受理不可能の通知を、契約者回線番号、リソース情報とともに、リソース確保の通知の送信元がＩＰ変換装置２００の呼制御部２３０の場合はＩＰインタフェースＢ  ３１０を通じてＩＰ変換装置２００の呼制御部２３０に、リソース確保の通知の送信元がパケット制御部３２０の場合はパケット制御部３２０に、それぞれ送信する。
【００３６】
また、発着信制御部３３０は、ＩＰ変換装置２００の呼制御部２３０又はパケット制御部３２０からリソース解放の通知を受信すると、まず、同時に受信する契約者回線番号から、対象ユーザのリソースをテーブルＴＢ４に基づいて識別する。次に、発着信制御部３３０は、同時に受信するリソース情報に含まれるリソースの使用を終了するものとして、対象ユーザのリソースに反映する。
【００３７】
次に、網からユーザ方向の送信時における、ＩＰ変換装置２００及びパケット転送装置３００の動作を説明する。網からユーザ方向の送信時において、レイヤ終端又はプロトコル終端の形態およびデータ構造は、上述したユーザから網方向の送信時を踏襲する。すなわち、ＴＥとのあいだで、パケット通信に使用する加入者線チャネル（Ｂチャネル番号ないしＳＡＰＩ・ＴＥＩ）を呼制御信号により決定し、Ｘ．２５レイヤ３信号をＬＡＰＢ／ＤのＩフレームとして授受する。このとき、契約者回線番号毎のリソース確保・解放をパケット転送装置３００の発着信制御部３３０で、また、スイッチ設定の記録・削除をＩＰ変換装置２００のベアラスイッチ部２２０で、それぞれＩＰ変換装置２００の呼制御部２３０からの通知に基づき行う。
【００３８】
なお、ある契約者回線番号で、パケット通信に使用する加入者線チャネル（Ｂチャネル番号またはＳＡＰＩ・ＴＥＩ）を事前に決め、ユーザの加入者情報としてパケット転送装置３００の発着信制御部３３０で予め保持してもよい。この場合、パケット通信に使用する加入者線チャネル（Ｂチャネル番号ないしＳＡＰＩ・ＴＥＩ）を、呼制御信号ではなく当該加入者情報により決定し、Ｘ．２５レイヤ３信号をＬＡＰＢ／ＤのＩフレームとして授受する。なお加入者線チャネルとしてＢチャネルを使用する場合は、ＩＰ変換装置２００のベアラスイッチ部２２０の説明で述べたように、当該契約者回線番号と当該Ｂチャネル番号を対として、ベアラスイッチ部２２０で予め記録しておく。
【００３９】
次に、ＩＰ変換装置２００とパケット転送装置３００との間のＩＰ送信動作について説明する。ＩＰ変換装置２００からパケット転送装置３００に、又はパケット転送装置３００からＩＰ変換装置２００にＩＰでデータを送信する場合、送信先の装置は、データとともに送信する契約者回線番号と加入者線チャネルから決定される。例えば、ＩＰ変換装置２００のＩＰインタフェースＡ  ２４０及びパケット転送装置３００のＩＰインタフェースＢ  ３１０において、契約者回線番号と加入者線チャネルの対に対して、送信先とする装置のＩＰアドレスを関連付けてテーブルで予め保持すればよい。このようにして、送信時の契約者回線番号と加入者線チャネルから、送信先の装置のＩＰアドレスを識別することができる。
【００４０】
なお、契約者回線番号と加入者線チャネルの対は、必ずしも両方を値として保持する必要はなく、加入者線チャネル、または両方を省略してもよい。なお、両方を省略する場合、契約者回線番号、加入者線チャネルによらず、常に固定のＩＰアドレスを送信先として識別する。これにより、ＩＰ変換装置２００とパケット転送装置３００は、台数としてｎ：ｍ（ここで、ｎ，ｍはｎ≧１，ｍ≧１の整数）の関係をとることができる。ただし、契約者回線番号と加入者線チャネルの任意の対について、ＩＰ変換装置Ｘでパケット転送装置Ｙを識別するとき、パケット転送装置Ｙでは必ずＩＰ変換装置Ｘを識別する必要がある。
【００４１】
次に、パケット転送装置３００間のＩＰ送信動作について説明する。パケット転送装置３００間でＩＰによりデータを送信する場合、送信先のパケット転送装置３００は、Ｘ．２５レイヤ３信号の着アドレス情報から決定される。例えば、パケット転送装置３００のＩＰインタフェースＣ  ３４０にトランスレータを設ける、通信事業者網でＤＮＳ（Domain Name System）を構築し、ＩＰインタフェースＣ  ３４０にＤＮＳアクセス機能を設けてＥＮＵＭ（Telephone Number Mapping）を適用する等の方式により、着アドレス情報から送信先のパケット転送装置３００のＩＰアドレスを識別することができる。
【００４２】
なお、着アドレス情報によって、あるパケット転送装置３００で識別した送信先のＩＰアドレスが自パケット転送装置である場合がある。この場合、パケット転送装置３００のＩＰインタフェースＣ  ３４０でデータを内部的に折り返せばよい。
【００４３】
次に、ＩＰ変換装置２００及びパケット転送装置３００の設置形態について説明する。上述の方式によれば、ＩＰ変換装置２００とパケット転送装置３００を別体の装置として、それぞれ異なる通信事業者に設置することが可能である。しかし本技術の設置形態は、これに限定されない。例として、ＩＰ変換装置２００とパケット転送装置３００を、一体の装置として実現してもよい。一体の装置とした場合、当該装置は通信事業者に設置しても、ユーザ側に設置してもよい。例として、ＩＰ変換装置２００とパケット転送装置３００とを別体の装置として実現する場合、両者を同一の通信事業者に設置しても、ユーザ側に設置してもよい。あるいはＩＰ変換装置２００をユーザ側に設置し、パケット転送装置３００を通信事業者に設置してもよい。
【産業上の利用可能性】
【００４４】
本発明によれば、ＩＳＤＮパケット通信サービスにおいて、ユーザ、及びユーザ・網インタフェースに既存の設備や方式を適用したまま、通信事業者の設備をＩＰ技術により構築することができる。従って、時間をかけることなく、早期に、ＩＳＤＮパケット通信サービスとＩＰ技術による他のサービスで通信システムを共用化し、設備・運用コストを削減することが可能となる。
【００４５】
上述したように、本発明は、既存のＩＳＤＮユーザ・網インタフェースの加入者線を収容するＩＰ変換装置と、Ｘ．２５レイヤ３信号を中継するパケット転送装置で、ＩＳＤＮパケット通信の各レイヤ・プロトコルを分担して終端するシステムにおいて、装置間をＩＰにより接続することを特徴とする。本技術によれば、Ｘ．２５レイヤ３信号をＩＰで転送し、ＩＰ変換装置とパケット転送装置との連係動作に必要な情報をＩＰで相互に通信するための各方式が規定されるため、ＩＳＤＮパケット通信サービスの提供に必要な通信事業者の通信システムをＩＰ網上で実現することが可能となる。これに対し、本発明と異なり、Ｘ．３１ケースＢでは、上記ＩＰ変換装置に相当する交換機、パケット転送装置に相当するパケット処理装置について、両者間インタフェースにおけるＩＰの適用方式は規定されていないことに留意されたい。
【００４６】
さらに、本発明によれば、ＩＰ変換装置とパケット転送装置とがＩＰで相互に通信可能であれば、それらを異なる通信事業者に設置しても連係動作が可能である。従って、両者を一体の装置として実現する必要がない、という利点も有する。
【符号の説明】
【００４７】
１００  パケット通信システム
２００−１〜２００−４  ＩＰ変換装置
３００−１〜３００−４  パケット転送装置
１〜ｎ  ＩＳＤＮ加入者線
２００  ＩＰ変換装置
２１０  フロント処理部
２２０  ベアラスイッチ部
２３０  呼制御部
２４０  ＩＰインタフェースＡ
３００  パケット転送装置
３１０  ＩＰインタフェースＢ
３２０  パケット制御部
３３０  発着信制御部
３４０  ＩＰインタフェースＣ
ＴＢ１〜ＴＢ３  テーブル
ＴＥ  ユーザ端末
【図１】
2010199794.tif 000003
【図２】
2010199794.tif 000004
【図３】
2010199794.tif 000005
【図４】
2010199794.tif 000006